(57)【要約】【課題】給湯運転時にあっても体脂肪率を正確に求めることができるようにする。【解決手段】給湯装置３から浴槽に湯水が供給される際の流量を検出する流量センサ３２と、浴槽に入浴者が入る前の入浴前水位と入った後の入浴後水位とを水位センサ２から取得する水位取得部１００と、入浴前水位を取得してから入浴後水位を取得するまでの間、流量を積算することで浴槽内の増水量を求める流量積算部３０１と、入浴前水位および入浴後水位を基に入浴者の体積を算出する体積算出部１０１と、入浴者の体積から増水量を差し引くことで入浴者の真の体積を求める体積補正部１０２と、入浴者の真の体積を基に体脂肪率を算出する体脂肪率算出部１０３と、体脂肪率を表示する表示部４２とを備えたことを特徴とする。【選択図】  図３
2004337212.tif 000002
【特許請求の範囲】
【請求項１】
浴槽に湯水を供給する給湯装置と、前記浴槽内の水位を測定する水位センサとを備え、前記浴槽に人が入る前と入った後の水位を前記水位センサで測定し、その測定結果を基に体脂肪率を計算して表示する体脂肪率計測システムであって、
前記給湯装置から前記浴槽に湯水が供給される際の流量を検出する流量検出手段と、
前記浴槽に入浴者が入る前の入浴前水位と入った後の入浴後水位とを前記水位センサから取得する水位取得手段と、
前記入浴前水位を取得してから前記入浴後水位を取得するまでの間、前記流量を積算することで前記浴槽内の増水量を求める流量積算手段と、
前記入浴前水位および入浴後水位を基に前記入浴者の体積を算出する体積算出手段と、
前記入浴者の体積から前記増水量を差し引くことで入浴者の真の体積を求める体積補正手段と、
前記入浴者の真の体積を基に体脂肪率を算出する体脂肪率算出手段と、
前記体脂肪率を表示する表示手段と、
を備えたことを特徴とする、体脂肪率計測システム。
【請求項２】
前記浴槽内の水位と貯水量との対応関係を規定する水位貯水量対応関係規定手段と、人の年齢、性別、身長、体重の少なくともいずれか１つに応じた首から上の体積を規定する首上体積規定手段と、前記入浴者自身の年齢、性別、身長、体重の少なくともいずれか１つを個人情報として入力するための個人情報入力手段とを有し、前記体積算出手段は、前記入浴前水位および入浴後水位を前記水位と貯水量との対応関係に当てはめることで前記入浴者の首から下の体積を算出し、前記個人情報に応じた首から上の体積を前記首から下の体積に加算することで前記入浴者の全身の体積を算出する、請求項１に記載の体脂肪率計測システム。
【請求項３】
人の年齢、性別、身長、体重の少なくともいずれか１つに応じた人体内の残気量を規定する体内残気量規定手段を有し、前記体積補正手段は、前記増水量のほか、前記個人情報に応じた人体内の残気量を前記入浴者の全身の体積から差し引くことで前記入浴者の真の体積を求め、前記体脂肪率算出手段は、前記個人情報として入力された体重を前記入浴者の真の体積で除算して入浴者の体比重を算出し、この体比重を所定の体脂肪率計算式に代入して体脂肪率を算出する、請求項２に記載の体脂肪率計測システム。
【請求項４】
浴槽に湯水を供給する給湯装置と、前記浴槽内の水位を測定する水位センサとを備え、前記浴槽に人が入る前と入った後の水位を前記水位センサで測定し、その測定結果を基に体脂肪率を計算して表示する体脂肪率計測システムであって、
前記浴槽に入浴者が入る前の入浴前水位と入った後の入浴後水位とを前記水位センサから取得する水位取得手段と、
前記入浴前水位を取得してから前記入浴後水位を取得するまでの間、前記給湯装置による湯水の供給を停止させる給湯制御手段と、
前記入浴前水位および入浴後水位を基に前記入浴者の体積を算出する体積算出手段と、
前記入浴者の体積を基に体脂肪率を算出する体脂肪率算出手段と、
前記体脂肪率を表示する表示手段と、
を備えたことを特徴とする、体脂肪率計測システム。
【請求項５】
前記給湯制御手段は、前記入浴後水位の取得後に前記給湯装置による湯水の供給を再開させる、請求項４に記載の体脂肪率計測システム。
【請求項６】
前記給湯装置による湯水の供給停止中にその旨を報知する報知手段を有する、請求項４または５に記載の体脂肪率計測システム。
【請求項７】
前記浴槽内の水位と貯水量との対応関係を規定する水位貯水量対応関係規定手段と、人の年齢、性別、身長、体重の少なくともいずれか１つに応じた首から上の体積を規定する首上体積規定手段と、前記入浴者自身の年齢、性別、身長、体重の少なくともいずれか１つを個人情報として入力するための個人情報入力手段とを有し、前記体積算出手段は、前記入浴前水位および入浴後水位を前記水位と貯水量との対応関係に当てはめることで前記入浴者の首から下の体積を算出し、前記個人情報に応じた首から上の体積を前記首から下の体積に加算することで前記入浴者の全身の体積を算出する、請求項４ないし６のいずれかに記載の体脂肪率計測システム。
【請求項８】
人の年齢、性別、身長、体重の少なくともいずれか１つに応じた人体内の残気量を規定する体内残気量規定手段を有し、前記体積算出手段は、前記個人情報に応じた人体内の残気量を前記入浴者の全身の体積から差し引くことで前記入浴者の真の体積を求め、前記体脂肪率算出手段は、前記個人情報として入力された体重を前記入浴者の真の体積で除算して入浴者の体比重を算出し、この体比重を所定の体脂肪率計算式に代入して体脂肪率を算出する、請求項７に記載の体脂肪率計測システム。
【発明の詳細な説明】
【０００１】
【発明の属する技術分野】
本発明は、浴槽に人が入る前と入った後の水位を測定し、その測定結果を基に体脂肪率を計算して表示し得る体脂肪率計測システムに関する。
【０００２】
【従来の技術】
浴槽に湯水を供給する給湯装置や各種の操作や表示を行うためのリモコン、浴槽内の水位を測定する水位センサなどを備えた給湯システムには、浴槽に人が入る前と入った後の水位を水位センサで測定し、その測定結果を基に体脂肪率を計算して表示する機能を備えたものがある（たとえば、特許文献１参照）。
【０００３】
これによれば、水位センサを用いて全身浴状態で入浴するように湯張りしたときの水位（入浴前水位）と、入浴者が肩まで入浴することで上昇した水位（入浴後水位）とを測定し、これら入浴前水位と入浴後水位との差に浴槽の平均断面積を掛けて得られる体積を入浴者の頭部を除く体積とし、そうして得られた入浴者の体積とリモコンを用いて別途入力された入浴者の身長および体重とに基づき、体脂肪率を求めている。
【０００４】
【特許文献１】
特開２００２−２８２２１６号公報
【０００５】
【発明が解決しようとする課題】
しかしながら、水位センサで入浴前水位を測定してから入浴後水位を測定するまでの間、給湯装置から浴槽に対して足し湯や差し水などのために湯水の供給が行われると、測定結果に基づき求めた入浴者の体積に湯水の供給による余分な体積が含まれてしまうので、給湯中には体脂肪率を正確に求めることができないという問題があった。
【０００６】
【発明の開示】
本発明は、このような事情のもとで考え出されたものであって、給湯運転時にあっても体脂肪率を正確に求めることができる体脂肪率計測システムを提供することを、その課題とする。
【０００７】
上記の課題を解決するため、本発明では、次の技術的手段を講じている。
【０００８】
すなわち、本発明の第１の側面によれば、浴槽に湯水を供給する給湯装置と、前記浴槽内の水位を測定する水位センサとを備え、前記浴槽に人が入る前と入った後の水位を前記水位センサで測定し、その測定結果を基に体脂肪率を計算して表示する体脂肪率計測システムであって、前記給湯装置から前記浴槽に湯水が供給される際の流量を検出する流量検出手段と、前記浴槽に入浴者が入る前の入浴前水位と入った後の入浴後水位とを前記水位センサから取得する水位取得手段と、前記入浴前水位を取得してから前記入浴後水位を取得するまでの間、前記流量を積算することで前記浴槽内の増水量を求める流量積算手段と、前記入浴前水位および入浴後水位を基に前記入浴者の体積を算出する体積算出手段と、前記入浴者の体積から前記増水量を差し引くことで入浴者の真の体積を求める体積補正手段と、前記入浴者の真の体積を基に体脂肪率を算出する体脂肪率算出手段と、前記体脂肪率を表示する表示手段とを備えたことを特徴とする、体脂肪率計測システムが提供される。
【０００９】
これによれば、入浴前水位を取得してから入浴後水位を取得するまでの間、たとえば足し湯や差し水などにより浴槽に対して湯水の供給が行われても、入浴前水位および入浴後水位を基に算出した入浴者の体積から湯水の供給による余分な増水量（体積）を差し引いて入浴者の真の体積が求められるので、給湯運転を継続しつつも体脂肪率を正確に求めることができる。
【００１０】
好ましい実施の形態としては、前記浴槽内の水位と貯水量との対応関係を規定する水位貯水量対応関係規定手段と、人の年齢、性別、身長、体重の少なくともいずれか１つに応じた首から上の体積を規定する首上体積規定手段と、前記入浴者自身の年齢、性別、身長、体重の少なくともいずれか１つを個人情報として入力するための個人情報入力手段とを有し、前記体積算出手段は、前記入浴前水位および入浴後水位を前記水位と貯水量との対応関係に当てはめることで前記入浴者の首から下の体積を算出し、前記個人情報に応じた首から上の体積を前記首から下の体積に加算することで前記入浴者の全身の体積を算出する構成とすることができる。
【００１１】
また、人の年齢、性別、身長、体重の少なくともいずれか１つに応じた人体内の残気量を規定する体内残気量規定手段を有し、前記体積補正手段は、前記増水量のほか、前記個人情報に応じた人体内の残気量を前記入浴者の全身の体積から差し引くことで前記入浴者の真の体積を求め、前記体脂肪率算出手段は、前記個人情報として入力された体重を前記入浴者の真の体積で除算して入浴者の体比重を算出し、この体比重を所定の体脂肪率計算式に代入して体脂肪率を算出する構成とすることができる。
【００１２】
このような構成によれば、入浴者の首から上の体積（以下、首上体積という）と首から下の体積（以下、首下体積という）とに分けて入浴者の全身の体積を算出し、さらにそれから余分な増水量と人体内の残気量とを差し引いた上で入浴者の真の体積を求めるので、より正確な体脂肪率を求めることができる。
【００１３】
本発明の第２の側面によれば、浴槽に湯水を供給する給湯装置と、前記浴槽内の水位を測定する水位センサとを備え、前記浴槽に人が入る前と入った後の水位を前記水位センサで測定し、その測定結果を基に体脂肪率を計算して表示する体脂肪率計測システムであって、前記浴槽に入浴者が入る前の入浴前水位と入った後の入浴後水位とを前記水位センサから取得する水位取得手段と、前記入浴前水位を取得してから前記入浴後水位を取得するまでの間、前記給湯装置による湯水の供給を停止させる給湯制御手段と、前記入浴前水位および入浴後水位を基に前記入浴者の体積を算出する体積算出手段と、前記入浴者の体積を基に体脂肪率を算出する体脂肪率算出手段と、前記体脂肪率を表示する表示手段とを備えたことを特徴とする、体脂肪率計測システムが提供される。
【００１４】
これによれば、入浴前水位を取得してから入浴後水位を取得するまでの間、たとえば足し湯や差し水などによる浴槽への湯水の供給が自動的に止められるので、給湯運転時にあっても湯水の供給による水位上昇がないようにして入浴者の真の体積を求めることができ、その真の体積に基づいて体脂肪率を正確に求めることができる。
【００１５】
好ましい実施の形態としては、前記給湯制御手段は、前記入浴後水位の取得後に前記給湯装置による湯水の供給を再開させる構成とすることができる。
【００１６】
また、前記給湯装置による湯水の供給停止中にその旨を報知する報知手段を有する構成とすることができる。
【００１７】
このような構成によれば、入浴前水位および入浴後水位を取得し終われば足し湯や差し水などによる湯水の供給が自動的に再開され、また、湯水の供給停止中には、たとえば表示や音声などの報知に応じてその旨を確認することができる。
【００１８】
他の好ましい実施の形態としては、前記浴槽内の水位と貯水量との対応関係を規定する水位貯水量対応関係規定手段と、人の年齢、性別、身長、体重の少なくともいずれか１つに応じた首から上の体積を規定する首上体積規定手段と、前記入浴者自身の年齢、性別、身長、体重の少なくともいずれか１つを個人情報として入力するための個人情報入力手段とを有し、前記体積算出手段は、前記入浴前水位および入浴後水位を前記水位と貯水量との対応関係に当てはめることで前記入浴者の首から下の体積を算出し、前記個人情報に応じた首から上の体積を前記首から下の体積に加算することで前記入浴者の全身の体積を算出する構成とすることができる。
【００１９】
また、人の年齢、性別、身長、体重の少なくともいずれか１つに応じた人体内の残気量を規定する体内残気量規定手段を有し、前記体積算出手段は、前記個人情報に応じた人体内の残気量を前記入浴者の全身の体積から差し引くことで前記入浴者の真の体積を求め、前記体脂肪率算出手段は、前記個人情報として入力された体重を前記入浴者の真の体積で除算して入浴者の体比重を算出し、この体比重を所定の体脂肪率計算式に代入して体脂肪率を算出する構成とすることができる。
【００２０】
このような構成によれば、入浴者の首上体積と首下体積とに分けて入浴者の全身の体積を算出し、さらにそれから人体内の残気量とを差し引いた上で入浴者の真の体積を求めるので、より正確な体脂肪率を求めることができる。
【００２１】
本発明のその他の特徴および利点は、添付図面を参照して以下に行う発明の実施の形態の説明によって、より明らかになるであろう。
【００２２】
【発明の実施の形態】
以下、本発明の好ましい実施の形態を、図面を参照して具体的に説明する。
【００２３】
図１は、本発明に係る体脂肪率計測システムの一実施形態を示す概観図、図２は、同システムの構成を模式的に示す模式図である。
【００２４】
体脂肪率計測システムは、計測ユニット１、水位センサ２、給湯装置３、浴室リモコン４、および台所リモコン５からなる。計測ユニット１は、浴室の壁裏などに設置され、たとえば信号に重畳して電源電圧を伝える２芯のケーブル６を介して給湯装置３に接続されている。水位センサ２は、浴槽Ｂの側壁に開けられた水位検出口Ｂ１の内部に設けられている。給湯装置３は、屋外に設置されている。浴室リモコン４および台所リモコン５は、それぞれケーブル６を介して給湯装置３に接続されている。浴室リモコン４は、浴槽Ｂ付近の壁に設置され、台所リモコン５は、台所の壁に設置されている。なお、給湯装置３から浴槽Ｂまでの配管設備などについては、図示省略する。
【００２５】
図３は、体脂肪率計測システムの電気的構成を示すブロック図である。
【００２６】
計測ユニット１は、ＣＰＵ、ＲＯＭ、ＲＡＭ、ＥＥＰＲＯＭなどからなるマイコン１０と通信部１１とを備える。マイコン１０は、水位取得部１００、体積算出部１０１、体積補正部１０２、および体脂肪率算出部１０３といった演算制御機能を有する。また、マイコン１０は、水位貯水量規定テーブル１１０、首上体積規定テーブル１１１、体内残気量規定テーブル１１２といったデータテーブルを記憶している。
【００２７】
水位センサ２は、浴槽Ｂの底面から開口上面までの途中の高さに位置し（好ましくは底面寄りの位置）、その位置（基準水位Ｓ０）より上に水面がくるまで貯められた湯水の水位（基準水位Ｓ０から水面までの距離）を水圧方式で検出する。
【００２８】
給湯装置３は、ＣＰＵ、ＲＯＭ、ＲＡＭ、ＥＥＰＲＯＭなどからなるマイコン３０、給湯部３１、流量センサ３２、および通信部３３を備える。マイコン３０は、給湯自動制御部３００や流量積算部３０１といった演算制御機能を有する。
【００２９】
浴室リモコン４は、ＣＰＵ、ＲＯＭ、ＲＡＭ、ＥＥＰＲＯＭなどからなる制御部４０、操作部４１、表示部４２、通信部４３、スピーカ４４、マイクロホン４５を備える。
【００３０】
台所リモコン５は、ＣＰＵ、ＲＯＭ、ＲＡＭ、ＥＥＰＲＯＭなどからなる制御部５０、操作部５１、表示部５２、通信部５３、スピーカ５４、マイクロホン５５を備える。
【００３１】
計測ユニット１の水位取得部１００は、水位センサ２から水位に関する情報を取得する。この水位取得部１００が取得する水位に関する情報としては、図２に明示するように、浴槽Ｂ内に貯められた湯水に入浴者Ｐが浸かる前にあって、基準水位Ｓ０から水面Ｓｗ１までの距離に相当する入浴前水位Ｓ１と、浴槽Ｂ内に貯められた湯水に入浴者Ｐが浸かることで上昇した水面Ｓｗ２までの距離に相当する入浴後水位Ｓ２とがある。なお、水面Ｓｗ１，Ｓｗ２が基準水位Ｓ０より上にない場合は、水位センサ２が水位を検出できずに測定エラーとなる。入浴前水位Ｓ１と入浴後水位Ｓ２とは、必ずＳ１＜Ｓ２の大小関係をなすものの、状況に応じてその都度異なる。
【００３２】
水位貯水量規定テーブル１１０は、試運転などにより浴槽Ｂに対する湯水の供給を給湯装置３に行わせ、その際に流量積算部３０１から浴槽Ｂに供給された流量の積算値（浴槽Ｂ内の貯水量（体積）に相当）を随時取得するとともにその都度水位センサ２で検出された水位を取得することにより、これら浴槽Ｂ内の水位と貯水量との対応関係を示すデータとして事前に作成されたものである。なお、このような水位と貯水量との対応関係については、テーブル形式のデータに限らず、引数（水位）を与えれば結果（貯水量）を返すといった関数により規定しておいても良い。入浴前水位Ｓ１や入浴後水位Ｓ２は、水位貯水量規定テーブル１１０に当てはめることで湯水の体積（貯水量）に換算される。このような水位貯水量規定テーブル１１０を用いることで水位から体積を求めることができるが、これは、浴槽Ｂの内部形状として水平面の開口面積が簡単には定まらない複雑な形状が多く様々な形状タイプがあり、浴槽Ｂの開口面積を定数として単純に取り扱えないためである。
【００３３】
首上体積規定テーブル１１１は、人間の首より上の首上体積を人の年齢、性別、身長、体重をパラメータとして求めることができるようにあらかじめ統計的に定められたデータである。もちろん、このような首上体積と年齢、性別、身長、体重との関係についても、引数（年齢、性別、身長、体重）を与えれば結果（首上体積）を返すといった関数により規定しておいても良い。
【００３４】
体内残気量規定テーブル１１２は、人間の臓器などに残留する空気の体積（体内残気量）を、人の年齢、性別、身長、体重をパラメータとして求めることができるようにあらかじめ統計的に定められたデータである。もちろん、このような体内残気量と年齢、性別、身長、体重との関係についても、引数（年齢、性別、身長、体重）を与えれば結果（体内残気量）を返すといった関数により規定しておいても良い。
【００３５】
体積算出部１０１は、浴室リモコン４などを用いて入浴者Ｐに関する個人情報として入力された年齢、性別、身長、体重を首上体積規定テーブル１１１に当てはめ、入浴者Ｐの年齢、性別、身長、体重に応じた首上体積Ｖｔを求める。また、体積算出部１０１は、水位貯水量規定テーブル１１０を用いて入浴前水位Ｓ１と入浴後水位Ｓ２とのそれぞれに応じた体積を求め、入浴後水位Ｓ２に対応する体積から入浴前水位Ｓ１に対応する体積を差し引くことで入浴者Ｐの首下体積Ｖｕを算出する。そして、体積算出部１０１は、算出した首下体積Ｖｕに首上体積Ｖｔを加算することで入浴者Ｐの全身体積Ｖｗを算出する。
【００３６】
体積補正部１０２は、浴室リモコン４などを用いて入浴者Ｐに関する個人情報として入力された年齢、性別、身長、体重を体内残気量規定テーブル１１２に当てはめ、入浴者Ｐに応じた体内残気量Ｖｓを求める。また、体積補正部１０２は、水位取得部１００が入浴前水位Ｓ１や入浴後水位Ｓ２を水位センサ２から取得する際に給湯装置３が浴槽Ｂに対して湯水の供給を行っていた場合、これら水位Ｓ１，Ｓ２を取得する間に流量積算部２０１で積算された流量の積算値（浴槽Ｂ内の増水量Ｖｒ）を給湯装置３から取得する。そして、体積補正部１０２は、体積算出部１０１が求めた全身体積Ｖｗから体内残気量Ｖｓや増水量Ｖｒを差し引くことにより、入浴者Ｐの真の全身体積Ｖｎｅｔ  を算出する。
【００３７】
体脂肪率算出部１０３は、入浴者Ｐに関する個人情報として入力された体重Ｗｔを、上記体積補正部１０２で得られた入浴者Ｐの真の全身体積Ｖｎｅｔ  で除算することにより、入浴者Ｐの体比重Ｗ／Ｖを算出する。体脂肪率算出部１０３は、たとえば｛（４．５７／体比重）−４．１４２｝×１００＝体脂肪率（％）として示されるＢｒｏｚｅｋの体脂肪率算出式に体比重Ｗ／Ｖを代入し、これにより入浴者Ｐの体脂肪率ＢＦＰを最終的に得る。
【００３８】
通信部１１は、浴槽Ｂ内の水位を水位センサ２から取得するタイミングを伝える信号や体脂肪率ＢＦＰに関するデータなどを給湯装置３の通信部３３との間でやり取りする。
【００３９】
給湯装置３の給湯部３１は、上水を加熱して浴槽Ｂに湯水を送り出すための加熱器やポンプなどからなり、それらの動作がマイコン３０により制御される。流量センサ３２は、給湯部３１から浴槽Ｂに湯水が送り出される際の流量を計測する。給湯自動制御部３００は、浴室リモコン４などを用いて入力された設定温度や設定水位などに基づいて給湯部３１の動作を制御する。たとえば、自動ふろ運転の場合、水位センサ２から計測ユニット１を経由して浴槽Ｂ内の水位が随時得られ、この水位があらかじめ入力された設定水位に達すると、給湯自動制御部３００は、それまで給湯部３１にさせていた湯水の供給を停止させる。流量積算部３０１は、計測ユニット１から入浴前水位Ｓ１を取得するタイミングを伝える信号を受信してから入浴後水位Ｓ２を取得するタイミングを伝える信号を受信するまで間、流量センサ３２からの流量を積算することで積算値としての増水量Ｖｒ（体積）を求める。通信部３３は、計測ユニット１の通信部１１、浴室リモコン４や台所リモコン５の通信部４３，５３との間で体脂肪率ＢＦＰに関するデータや増水量Ｖｒあるいは貯水量に関するデータ、さらには各種の信号などをやり取りする。
【００４０】
浴室リモコン４の制御部４０は、浴室リモコン４全体の動作を制御する。操作部４１は、図２に明示するように運転キー４１０や上下キー４１１、ふろ自動キー４１２や設定キー４１３などからなり、全般的には給湯に関する各種の操作に用いられる。特に、体脂肪率の計測表示や入浴前水位Ｓ１あるいは入浴後水位Ｓ２の測定開始指示、入浴者Ｐの年齢、性別、身長、体重といった個人情報の入力を行う際には、設定キー４１３が用いられる。表示部４２は、たとえば多数の蛍光体をドットマトリクス状に配置した蛍光管、あるいは液晶ディスプレイなどからなり、図２に明示するように給湯温度や現在時刻などとともに入浴者Ｐの体脂肪率ＢＦＰを表示する。通信部４３は、給湯装置３の通信部３３との間で各種のデータや信号をやり取りする。スピーカ４４およびマイクロホン４５は、台所リモコン５との間で音声信号をやり取りする際に用いられる。スピーカ４４からは、メロディやメッセージなどの報知音も出力される。
【００４１】
台所リモコン５の制御部５０は、台所リモコン５全体の動作を制御する。操作部５１は、図２に明示するように運転キー５１０や上下キー５１１、ふろ自動キー５１２や設定キー５１３などからなり、基本的に給湯に関する各種の操作に用いられる。表示部５２は、たとえば多数の蛍光体をドットマトリクス状に配置した蛍光管、あるいは液晶ディスプレイなどからなり、図２に明示するように給湯温度や現在時刻などとともに入浴者Ｐの体脂肪率ＢＦＰを表示する。通信部５３は、給湯装置３の通信部３３との間で各種のデータや信号をやり取りする。スピーカ５４およびマイクロホン５５は、浴室リモコン４との間で音声信号をやり取りする際に用いられる。スピーカ５４からは、メロディやメッセージなどの報知音も出力される。
【００４２】
次に、動作について説明する。
【００４３】
図４は、体脂肪率を計測する際の処理手順を示すフローチャートである。まず、入浴者Ｐが浴室リモコン４を操作して自身の年齢、性別、身長、体重といった個人情報を入力する（Ｓ１）。入力された個人情報は、給湯装置３を経由して計測ユニット１に送られ、マイコン１０のＥＥＰＲＯＭなどに記憶される。個人情報には、入浴者Ｐが誰であるかを特定するためのたとえば名前などを含めることができる。なお、個人情報の入力は、体脂肪率の計測を始める前に行っておくことができる。また、複数人の個人情報を入力しておくこともでき、一度入力しておけば体脂肪率の計測ごとに個人情報を入力する必要はなく、体脂肪率の計測に先だって自分を特定するための名前などを入力するだけで良い。もちろん、必要に応じて個人情報の内容を変更することができる。
【００４４】
その後、入浴者Ｐが浴室リモコン４を操作して体脂肪率の計測表示開始を指示すると、その旨の制御コマンドが計測ユニット１に送られ、水位センサ２により入浴前水位Ｓ１の測定が行われる（Ｓ２）。このとき、浴槽Ｂ内には、基準水位Ｓ０より上に湯水が貯められていなければならない。基準水位Ｓ０より上まで湯水が貯められていない場合には、測定エラーが表示される。また、入浴者Ｐは、浴槽Ｂ内の湯水に浸かることなく浴槽Ｂ外に位置しなければならない。入浴前水位Ｓ１の測定は瞬時になされ、計測ユニット１のＲＡＭなどに入浴前水位Ｓ１が記憶される。
【００４５】
その直後、計測ユニット１のＣＰＵは、入浴前水位Ｓ１を取得した旨の信号を給湯装置３に送出し、それに応じて給湯装置３から送られてきた信号に基づき給湯中か否かを判断する（Ｓ３）。給湯装置３のＣＰＵは、計測ユニット１からの信号を受けた時点で給湯運転中か否かを判断し、その判断結果として給湯運転中を示す信号あるいは給湯運転が行われていないことを示す信号を計測ユニット１に返す。
【００４６】
給湯装置３から給湯運転中を示す信号が送られてきた場合（Ｓ３：ＹＥＳ）、計測ユニット１のＣＰＵは、給湯装置３に対して流量の積算を開始する旨の信号を送出する。これにより、給湯装置３では、流量の積算が開始される（Ｓ４）。
【００４７】
その後、入浴者Ｐは、浴槽Ｂ内の湯水に首まで浸かった後、再び浴室リモコン４を操作して入浴後水位Ｓ２の測定開始を指示すると、その旨の制御コマンドが計測ユニット１に送られ、水位センサ２により入浴後水位Ｓ２の測定が行われる（Ｓ５）。このときも入浴後水位Ｓ２の測定は瞬時になされ、計測ユニット１のＲＡＭなどに入浴後水位Ｓ２が記憶される。なお、入浴後水位Ｓ２の測定については、入浴者Ｐによる測定開始の操作を必要としないようにしても良い。たとえば、水位センサ２から定期的に水位を取得し、急激な水位上昇を検知した後に水位が所定の範囲内で安定した状態になると、自動的に入浴後水位Ｓ２を測定開始することができる。
【００４８】
その直後、計測ユニット１のＣＰＵは、入浴後水位Ｓ２を取得した旨の信号とともに流量の積算を終了する旨の信号を給湯装置３に送出する。これにより、給湯装置３は、流量の積算を終えてその結果を計測ユニット１に返す。つまり、流量の積算値としては、入浴前水位Ｓ１を取得してから入浴後水位Ｓ２を取得するまでの間に浴槽Ｂ内に湯水が供給されることで増えた増水量Ｖｒが得られる。こうして得られた増水量Ｖｒは、計測ユニット１のＲＡＭなどに記憶される。
【００４９】
次に、計測ユニット１のＣＰＵは、水位貯水量規定テーブル１１０を用いて入浴前水位Ｓ１および入浴後水位Ｓ２を貯水量Ｖ１，Ｖ２に換算する（Ｓ７）。
【００５０】
さらに、入浴後水位Ｓ２に対応する貯水量Ｖ２から入浴前水位Ｓ１に対応する貯水量Ｖ１を差し引くことで入浴者Ｐの首下体積Ｖｕを算出する（Ｓ８）。
【００５１】
続いて、入浴者Ｐの個人情報を首上体積規定テーブル１１１に当てはめることで首上体積Ｖｔを求め、この首上体積Ｖｔを首下体積Ｖｕに加算して入浴者Ｐの全身体積Ｖｗを算出する（Ｓ９）。なお、首上体積Ｖｔについては、あらかじめ求めておいた上で個人情報として記憶しておいても良い。
【００５２】
そして、入浴者Ｐの個人情報を体内残気量規定テーブル１１２に当てはめることで体内残気量Ｖｓを求め、この体内残気量Ｖｓと先に給湯装置３から得られた増水量Ｖｒとを全身体積Ｖｗから差し引くことで入浴者Ｐの真の全身体積Ｖｎｅｔ  を算出する（Ｓ１０）。なお、体内残気量Ｖｓについても、あらかじめ求めておいた上で個人情報として記憶しておいても良い。
【００５３】
そうした後、入浴者Ｐが個人情報として入力したうちの体重Ｗｔを真の全身体積Ｖｎｅｔで除算することにより、入浴者Ｐの体比重Ｗ／Ｖを算出する（Ｓ１１）。
【００５４】
最終的には、｛（４．５７／体比重）−４．１４２｝×１００＝体脂肪率（％）で示されるＢｒｏｚｅｋの体脂肪率算出式に体比重Ｗ／Ｖを代入し、これにより入浴者Ｐの体脂肪率ＢＦＰを得る（Ｓ１２）。
【００５５】
入浴者Ｐの体脂肪率ＢＦＰが得られると、この体脂肪率ＢＦＰに関するデータが計測ユニット１から浴室リモコン４や台所リモコン５に送られ、浴室リモコン４や台所リモコン５の表示部４２，５２に入浴者Ｐの体脂肪率ＢＦＰが表示される（Ｓ１３）。
【００５６】
Ｓ３において、給湯運転が行われていないことを示す信号が給湯装置３から送られてきた場合（Ｓ３：ＮＯ）、計測ユニット１のＣＰＵは、浴室リモコン４からの入浴後水位Ｓ２の測定開始の指示を待ち、その旨の制御コマンドが浴室リモコン４から送られてくると、水位センサ２に入浴後水位Ｓ２の測定を行わせる（Ｓ１４）。
【００５７】
次に、計測ユニット１のＣＰＵは、Ｓ７〜Ｓ９と同様の演算を行い（Ｓ１５〜Ｓ１７）、そうして求めた全身体積Ｖｗから体内残気量Ｖｓのみを差し引くことで入浴者Ｐの真の全身体積Ｖｎｅｔ  を算出する（Ｓ１８）。つまり、この場合には、入浴前水位Ｓ１を取得してから入浴後水位Ｓ２を取得するまでの間に浴槽Ｂに対して湯水の供給が行われていないので、体内残気量Ｖｓを差し引くだけで入浴者Ｐの真の全身体積Ｖｎｅｔ  が求められる。その後、計測ユニット１のＣＰＵは、Ｓ１１に進む。
【００５８】
図５は、体脂肪率の計測時に並行して行われる自動ふろ運転の処理手順を示すフローチャートである。たとえば、体脂肪率の計測前やその計測中にあっても、浴室リモコン４を操作して自動ふろ運転の開始を指示すると、給湯装置３のＣＰＵは、給湯運転を開始させる（Ｓ２１）。なお、給湯装置３のＥＥＰＲＯＭなどには、あらかじめ入力された設定温度や設定水位などが記憶されている。
【００５９】
給湯運転が開始されると、浴槽Ｂに対して足し湯や差し水により湯水が供給される。また、給湯運転の開始を示す制御コマンドが計測ユニット１に伝えられ、計測ユニット１に接続された水位センサ２が浴槽Ｂ内の水位を定期的に測定する（Ｓ２２）。そうして測定された浴槽Ｂ内の水位に関する情報は、給湯装置３に伝えられる。
【００６０】
給湯装置３のＣＰＵは、水位センサ２により測定された浴槽５内の水位（測定水位）が設定水位以上になったか否かを判断し（Ｓ２３）、測定水位が設定水位以上になると（Ｓ２３：ＹＥＳ）、給湯運転を終了させる（Ｓ２４）。
【００６１】
Ｓ２３において、測定水位が設定水位未満の場合（Ｓ２３：ＮＯ）、給湯装置３のＣＰＵは、水位センサ２からの測定水位の取得を継続すべく、Ｓ２２に戻る。つまり、給湯運転は、体脂肪率の計測時に一時停止などされることなく通常通り行われるので、入浴者Ｐは、体脂肪率の計測を始める前に給湯運転をわざわざ停止させる必要はない。
【００６２】
したがって、上記実施形態に係る体脂肪率計測システムによれば、入浴前水位Ｓ１を取得してから入浴後水位Ｓ２を取得するまでの間、足し湯や差し水により浴槽Ｂに対して湯水の供給が行われても、入浴前水位Ｓ１と入浴後水位Ｓ２とを基に算出した入浴者Ｐの全身体積Ｖｗから湯水の供給による余分な増水量Ｖｒを差し引くことで入浴者Ｐの真の全身体積Ｖｎｅｔ  が求められ、給湯運転を継続しつつも体脂肪率ＢＦＰを正確に求めた上で表示することができる。
【００６３】
次に、他の実施形態について説明する。
【００６４】
図６は、他の実施形態に係る体脂肪率計測システムの電気的構成を示すブロック図である。なお、他の実施形態に係る体脂肪率計測システムも、先の実施形態に係る体脂肪率計測システムと概ね同様の構成からなるため、同じ機能ブロックについては同一符号を付してその説明を省略する。
【００６５】
他の実施形態に係る体脂肪率計測システムでは、先の実施形態に係る計測ユニット１から体積補正部１０２を省いた構成の計測ユニット１’を有する。また、体積算出部１０１’は、先述した実施形態の体積算出部１０１と同様の演算を行うほか、入浴者Ｐの全身体積Ｖｗから体内残気量Ｖｓを差し引いて入浴者Ｐの真の全身体積Ｖｎｅｔ  を算出する。これは、上記体積補正部１０２で行っていた演算を一部肩代わりすることを意味する。
【００６６】
給湯装置３’の給湯自動制御部３００’は、基本的に先の実施形態に係るものと同様の制御を行うが、給湯運転中に入浴前水位Ｓ１を取得した旨の信号を計測ユニット１’から受けると、給湯運転を一時停止させる。その後、給湯自動制御部３００’は、入浴後水位Ｓ２を取得した旨の信号を計測ユニット１’から受けると、給湯運転を再開させる。
【００６７】
次に、他の実施形態に係る体脂肪率計測システムの動作について説明する。
【００６８】
図７は、他の実施形態で体脂肪率を計測する際の処理手順を示すフローチャート、図８および図９は、浴室リモコン４における表示例を示す図である。まず、入浴者Ｐが浴室リモコン４を操作して自身の年齢、性別、身長、体重といった個人情報を入力する（Ｓ３１）。これは、図４のフローチャートに示すＳ１と同様である。
【００６９】
その後、入浴者Ｐが浴室リモコン４を操作して体脂肪率の計測表示開始を指示すると、その旨の制御コマンドが給湯装置３’を経由して計測ユニット１’に送られ、水位センサ２により入浴前水位Ｓ１の測定が行われる（Ｓ３２）。これも、図４のフローチャートに示すＳ２と同様である。
【００７０】
また、体脂肪率の計測表示を開始する旨の制御コマンドを受けた給湯装置３’のＣＰＵは、その制御コマンドを受けた時点で給湯運転中か否かを判断する（Ｓ３３）。
【００７１】
給湯運転中の場合（Ｓ３３：ＹＥＳ）、給湯装置３’のＣＰＵは、給湯運転を一時停止させる（Ｓ３４）。給湯運転の一時停止中、図８に示すように、浴室リモコン４の表示部４２には、「体脂肪率計測中、給湯一時停止」といった旨の情報が表示される。また、スピーカ４４からは、「体脂肪率計測中、給湯一時停止」といった旨の音声メッセージ、あるいは給湯運転の一時停止に応じたメロディが出力される。これにより、入浴者Ｐは、体脂肪率を計測するために給湯運転が一時停止した状態にあることを確実に知る。
【００７２】
その後、入浴者Ｐは、浴槽Ｂ内の湯水に首まで浸かった後、再び浴室リモコン４を操作して入浴後水位Ｓ２の測定開始を指示すると、その旨の制御コマンドが計測ユニット１’に送られ、水位センサ２により入浴後水位Ｓ２の測定が行われる（Ｓ３５）。このときも入浴後水位Ｓ２の測定は瞬時になされ、計測ユニット１’のＲＡＭなどに入浴後水位Ｓ２が記憶される。
【００７３】
その直後、給湯装置３のＣＰＵは、一時停止した給湯運転を再開させる（Ｓ３６）。このとき、図９に示すように、浴室リモコン４の表示部４２には、給湯中にあることを示すシンボルマーク４２０が表示され、「体脂肪率計測中、給湯一時停止」といった旨の表示が消される。また、スピーカ４４からは、「体脂肪率計測中、給湯一時停止」といった旨の音声メッセージや、給湯運転の一時停止に応じたメロディの出力がされなくなる。そのため、入浴者Ｐは、体脂肪率の計測のために一時停止中にあった給湯運転が再開されたことを確実に知る。
【００７４】
そして、計測ユニット１’のＣＰＵは、水位貯水量規定テーブル１１０を用いて入浴前水位Ｓ１および入浴後水位Ｓ２を貯水量Ｖ１，Ｖ２に換算する（Ｓ３７）。
【００７５】
さらに、入浴後水位Ｓ２に対応する貯水量Ｖ２から入浴前水位Ｓ１に対応する貯水量Ｖ１を差し引くことで入浴者Ｐの首下体積Ｖｕを算出する（Ｓ３８）。
【００７６】
続いて、入浴者Ｐの個人情報を首上体積規定テーブル１１１に当てはめることで首上体積Ｖｔを求め、この首上体積Ｖｔを首下体積Ｖｕに加算して入浴者Ｐの全身体積Ｖｗを算出する（Ｓ３９）。
【００７７】
そして、入浴者Ｐの個人情報を体内残気量規定テーブル１１２に当てはめることで体内残気量Ｖｓを求め、この体内残気量Ｖｓを全身体積Ｖｗから差し引くことで入浴者Ｐの真の全身体積Ｖｎｅｔ  を算出する（Ｓ４０）。
【００７８】
そうした後、入浴者Ｐが個人情報として入力したうちの体重Ｗｔを真の全身体積Ｖｎｅｔで除算することにより、入浴者Ｐの体比重Ｗ／Ｖを算出する（Ｓ４１）。
【００７９】
最終的には、｛（４．５７／体比重）−４．１４２｝×１００＝体脂肪率（％）で示されるＢｒｏｚｅｋの体脂肪率算出式に体比重Ｗ／Ｖを代入し、これにより入浴者Ｐの体脂肪率ＢＦＰを得る（Ｓ４２）。
【００８０】
入浴者Ｐの体脂肪率ＢＦＰが得られると、この体脂肪率ＢＦＰに関するデータが計測ユニット１’から浴室リモコン４や台所リモコン５に送られ、浴室リモコン４や台所リモコン５の表示部４２，５２に入浴者Ｐの体脂肪率ＢＦＰが表示される（Ｓ４３）。
【００８１】
Ｓ３３において、給湯運転中でない場合（Ｓ３３：ＮＯ）、計測ユニット１のＣＰＵは、浴室リモコン４からの入浴後水位Ｓ２の測定開始の指示を待ち、その旨の制御コマンドが浴室リモコン４から送られてくると、Ｓ３４をスキップして水位センサ２に入浴後水位Ｓ２の測定を行わせ（Ｓ４４）、さらにＳ３６をスキップしてＳ３７に進む。
【００８２】
したがって、他の実施形態に係る体脂肪率計測システムによれば、入浴前水位Ｓ１の測定を開始する際、足し湯や差し水により浴槽Ｂに対して湯水の供給が行われても、そのような給湯運転が入浴後水位Ｓ２を取得するまで一時的に止められ、入浴後水位Ｓ２の取得後に給湯運転が自動的に再開されるので、体脂肪率の計測時に湯水の供給による水位上昇がないようにして入浴者Ｐの真の全身体積Ｖｎｅｔ  を求めることができ、その真の全身体積Ｖｎｅｔに基づいて体脂肪率ＢＦＰを正確に求めた上で表示することができる。
【００８３】
なお、本発明は、上記の各実施形態に限定されるものではない。
【００８４】
各マイコン１０，１０’，３０，３０’や制御部４０により実現される機能は、計測ユニット１，１’や給湯装置３，３’、浴室リモコン４などに分散させることなく、たとえば給湯装置３，３’のマイコン３０，３０’に全ての機能を集約させるように構成しても良い。また、各種の演算に関する機能については、たとえば浴室リモコン４の制御部４０に集約させ、ケーブル６を介して給湯装置３，３’などとの間で必要なデータをやり取りするようにしても良い。
【００８５】
図１０に一例として示すように、給湯装置３から浴槽Ｂまでの間に給湯用の配管７が設けられ、給湯時には給湯装置３内の配管７から浴槽Ｂまでに常に湯水が満たされる場合、水位センサ２としては、給湯装置３内の配管７内などに設けられたものを利用しても良い。
【００８６】
水位センサ２は、水位を測定する方式を水圧式としたが、他の測定方式としては超音波などを用いて水位を測定する方式でも良い。
【００８７】
首上体積規定テーブル１１１や体内残気量規定テーブル１１２のパラメータ、および個人情報の項目としては、年齢、性別、身長、体重といった全ての項目を網羅する必要はなく、少なくとも体重の項目さえあれば良い。
【００８８】
【発明の効果】
以上説明したように、本発明によれば、入浴前水位を取得してから入浴後水位を取得するまでの間、たとえば足し湯や差し水などにより浴槽に対して湯水の供給が行われても、入浴前水位および入浴後水位を基に算出した入浴者の体積から湯水の供給による余分な増水量（体積）を差し引いて入浴者の真の体積が求められるので、給湯運転を継続しつつも体脂肪率を正確に求めることができる。
【００８９】
また、入浴前水位を取得してから入浴後水位を取得するまでの間、たとえば足し湯や差し水などによる浴槽への湯水の供給が自動的に止められるので、給湯運転時にあっても湯水の供給による水位上昇がないようにして入浴者の真の体積を求めることができ、その真の体積に基づいて体脂肪率を正確に求めることができる。
【図面の簡単な説明】
【図１】本発明に係る体脂肪率計測システムの一実施形態を示す概観図である。
【図２】本発明に係る体脂肪率計測システムの構成を模式的に示す模式図である。
【図３】体脂肪率計測システムの電気的構成を示すブロック図である。
【図４】体脂肪率を計測する際の処理手順を示すフローチャートである。
【図５】体脂肪率の計測時に並行して行われる自動ふろ運転の処理手順を示すフローチャートである。
【図６】他の実施形態に係る体脂肪率計測システムの電気的構成を示すブロック図である。
【図７】他の実施形態で体脂肪率を計測する際の処理手順を示すフローチャートである。
【図８】浴室リモコンにおける表示例を示す図である。
【図９】浴室リモコンにおける表示例を示す図である。
【図１０】水位センサの設置例を示す図である。
【符号の説明】
１                      計測ユニット
２                      水位センサ
３                      給湯装置
４                      浴室リモコン
５                      台所リモコン
１０，３０              マイコン
４０，５０              制御部
１１，３３，４３，５３  通信部
３１                    給湯部
３２                    流量センサ
４１，５１              操作部
４２，５２              表示部
１００                  水位取得部
１０１                  体積算出部
１０２                  体積補正部
１０３                  体脂肪率算出部
１１０                  水位貯水量規定テーブル
１１１                  首上体積規定テーブル
１１２                  体内残気量規定テーブル
３００                  給湯自動制御部
３０１                  流量積算部
Ｂ                      浴槽
【図１】
2004337212.tif 000003
【図２】
2004337212.tif 000004
【図３】
2004337212.tif 000005
【図４】
2004337212.tif 000006
【図５】
2004337212.tif 000007
【図６】
2004337212.tif 000008
【図７】
2004337212.tif 000009
【図８】
2004337212.tif 000010
【図９】
2004337212.tif 000011
【図１０】
2004337212.tif 000012